(57)【要約】【課題】簡単な構造で、泡立ちの良いスポンジたわしを提供する。【解決手段】スポンジたわし(1)は、スポンジ本体(10)の少なくとも片面中央部に、相対的の気泡が小さく液保持特性に優れた泡立て用スポンジ体(20)がはめ込み状態に設けられていることを特徴とする。また、前記泡立て用スポンジ体(20)に洗剤充填用凹部(21)が設けられている。【選択図】  図１
2007068750.tif 000002
【特許請求の範囲】
【請求項１】
スポンジ本体の少なくとも片面中央部に、相対的の気泡が小さく液保持特性に優れた泡立て用スポンジ体がはめ込み状態に設けられていることを特徴とするスポンジたわし。
【請求項２】
前記泡立て用スポンジ体に洗剤充填用凹部が設けられている請求項１に記載のスポンジたわし。
【請求項３】
前記スポンジ本体が２層の積層体となされ、一方の層にのみ泡立て用スポンジ体がはめ込まれている請求項１または２に記載のスポンジたわし。
【発明の詳細な説明】
【技術分野】
【０００１】
この発明は、身体や食器の洗浄に用いるスポンジたわしに関する。
【背景技術】
【０００２】
たわしによる洗浄では、洗剤の泡立ちの良し悪しが洗浄力に影響する。このため、泡立ち性を改善したたわしが種々提案されている（特許文献１、２参照）。
【０００３】
特許文献１に記載されているキッチンクリーナーは、合成樹脂製ネットを束ねた巻回体の中心部にスポンジを配置したものである。このクリーナーは、吸水性に欠けるネットに吸水性に優れたスポンジ部を付加することで洗剤の含みと泡立ちを改善したものである。
【０００４】
特許文献２に記載されているスポンジたわしは、３層構造であり、中間層に第１層よりも径の大きい穴が設けられている。そして、第１層の小径穴から注入した洗剤を中間層の大径穴の内部で保持することにより、洗剤の流出を防ぐとともに、セル目の大きい中間層で泡立ちを改善したものである。
【特許文献１】実用新案登録第３１００４７３号公報
【特許文献２】実公平７−４７０９０号公報
【発明の開示】
【発明が解決しようとする課題】
【０００５】
しかしながら、特許文献１のキッチンクリーナーは、スポンジ部で泡立てても泡がネットに分散されると流れ易く、洗浄時の泡立ちが不十分である。特許文献２のスポンジたわしは、２枚のスポンジ層に径の異なる穴を設け、さら３層を積層一体化したものであるから構造が複雑である。
【課題を解決するための手段】
【０００６】
本発明は、上述した現状に鑑み、簡単な構造でありながら泡立ちの良いスポンジたわしの提供を目的とする。
【０００７】
即ち、本発明のスポンジたわしは下記〔１〕〜〔３〕に記載の構成を有する。
【０００８】
〔１〕  スポンジ本体の少なくとも片面中央部に、相対的の気泡が小さく液保持特性に優れた泡立て用スポンジ体がはめ込み状態に設けられていることを特徴とするスポンジたわし。
【０００９】
〔２〕  前記泡立て用スポンジ体に洗剤充填用凹部が設けられている前項１に記載のスポンジたわし。
【００１０】
〔３〕  前記スポンジ本体が２層の積層体となされ、一方の層にのみ泡立て用スポンジ体がはめ込まれている前１または２に記載のスポンジたわし。
【発明の効果】
【００１１】
〔１〕の発明によれば、中央の泡立て用スポンジ体の小さな気泡でで洗剤と空気が混合されて泡立てられ、泡がスポンジ本体の大きな気泡に分散されため、泡立ちおよび泡もちが良い。また、気泡の小さい泡立て用スポンジ体は中央部分のみであり、まわりは大気泡を有するスポンジ本体であるから、使用後の水切れが良く乾燥を速めることができる。
【００１２】
〔２〕〔３〕の各発明によれば、特に泡立ちが良い。
【発明を実施するための最良の形態】
【００１３】
図１および図２は、本発明のスポンジたわしの一実施形態を示す全体斜視図および断面図である。
【００１４】
スポンジたわし(1)は、スポンジ本体(10)と、このスポンジ本体(10)の片面にはめ込まれた泡立て用スポンジ体(20)とにより構成されている。
【００１５】
前記スポンジ本体(10)は、第１層(11)および第２層(12)を貼り合わせた２層構造である。第１層(11)の中央部に貫通孔が穿設され、この第１層(11)と第２層(12)とを貼り合わせることにより、有底のはめ込み用凹部(13)が形成されている。
【００１６】
前記泡立て用スポンジ体(20)の中央部にも貫通孔が穿設され、前記スポンジ本体(10)のはめ込み用凹部(13)にはめ込まれ、有底の洗剤充填用凹部(21)が形成されている。
【００１７】
前記スポンジ本体(10)および泡立て用スポンジ体(20)はいずれも発泡樹脂製であり、泡立て用スポンジ体(20)の気泡はスポンジ本体(10)の気泡よりも相対的に小さいものとなされている。前記スポンジ本体(10)および泡立て用スポンジ体(20)はいずれも透水性と液保持性を有するものであるが、小気泡を有する泡立て用スポンジ体(20)は相対的に液が流出しにくく液保持性が良好であり、大気泡を有するスポンジ本体(10)は、相対的に泡立てられた泡を多く含むことができ、かつ透水性が高い。
【００１８】
本発明はスポンジ本体(10)および泡立て用スポンジ体(20)の気泡サイズを限定するものではないが、スポンジ本体(10)の気泡は直径１〜８ｍｍ、泡立て用スポンジ体(20)の気泡は０．１〜１ｍｍが好ましい。また、泡立て用スポンジ体(20)においては、小気泡によって液保持性を確保できる限り、大気泡が混在していることも好ましい。大気泡の混在していると、洗剤と空気の混合を促進して泡立ちが良くなるためである。
【００１９】
前記スポンジ本体(10)および泡立て用スポンジ体(20)を構成する発泡樹脂の種類は限定されず、発泡ポリウレタン、発泡ポリエチレン、ＥＶＡ（エチレン−酢酸ビニル共重合体）等を例示でき、所望の気泡サイズに発泡させれば良い。
【００２０】
前記スポンジたわし(1)では、洗剤充填用凹部(21)に洗剤を入れて泡立て用スポンジ体(20)に含ませて全体を圧縮−開放を繰り返すと、洗剤と空気が混合されて泡立てられ、泡がまわりの第１層(11)と積層された第２層(12)のスポンジ本体(10)に分散される。スポンジ本体(10)には洗剤が泡立てられた状態で分散されるために流出することなく泡を保持することができ、しかも、相対的に大きい気泡に多量の泡を保持することができる。このため、泡立ちが良く、泡もちも良い。また、気泡の小さい泡立て用スポンジ体(20)は中央部分のみであり、まわりは大気泡を有するスポンジ本体(10)であるから、使用後の水切れが良く乾燥を速めることができる。
【００２１】
また、本発明のスポンジたわしは、スポンジ本体の中央部に気泡サイズの小さい泡立て用スポンジをはめ込んだものであるから、上述した特許文献２の３層構造のスポンジたわしよりも簡単な構造で良好な泡立ちを得ることができる。
【００２２】
本発明のスポンジたわしは上述した実施形態に限定されず、以下のような変形例も本発明に含まれる。
【００２３】
泡立て用スポンジ体はスポンジ本体の両面に設けられていても良い。例えば、スポンジ本体を１層構造とし、泡立て用スポンジ体を貫通状態にはめ込むことによって両面に配置することができる。また、片面にのみ泡立て用スポンジ体を設ける場合、１層のスポンジ本体に有底のはめ込み用凹部を設けることによっても、片面にのみ泡立て用スポンジ体を設けることができる。ただし、スポンジ本体に有底のはめ込み用凹部を形成し、あるいはさらに泡立て用スポンジ体に有底の洗剤充填用凹部を形成するには、上記実施形態のようにスポンジ本体を２層構造とする方が製作が容易である。
【００２４】
また、泡立て用スポンジ体の洗剤充填用凹部は、より多くの洗剤を含ませるために有利であるが、本発明は洗剤充填用凹部の有無を問わない。
【図面の簡単な説明】
【００２５】
【図１】本発明のスポンジたわしの一実施形態の全体斜視図である。
【図２】図１の２−２線断面図である。
【符号の説明】
【００２６】
１…スポンジたわし
10…スポンジ本体
11…第１層
12…第２層
13…はめ込み用凹部
20…泡立て用スポンジ体
21…洗剤充填用孔（洗剤充填用凹部）
【図１】
2007068750.tif 000003
【図２】
2007068750.tif 000004